(57)【特許請求の範囲】
【請求項１】
縦仕切り板と横仕切り板を井桁状に組み立てた中仕切り体を外箱に内蔵して、被包物を収容する多数のポケットを形成すると共に、中仕切り体に緩衝シートを重ねて外箱に内蔵した梱包箱において、
上記緩衝シートの縦横の寸法を外箱の内寸法よりも少し大きくし、中仕切り体の縦仕切り板及び横仕切り板に沿って緩衝シートの外周部に切込み溝を形成して、緩衝シートの外周部を複数の分割片に分割し、各分割片を中仕切り体の外周部の各ポケットに折り込んで、その折り込んだ緩衝シート外周部の各分割片の外端を外箱の内側面に当接させ、
中仕切り体外周部の各ポケットに折り込んだ緩衝シート外周部の各分割片の水平面に対する角度が１０°〜４０°の範囲内となるように、緩衝シートの縦横の寸法と切込み溝の長さ寸法を設定したことを特徴とする梱包箱。
【請求項２】
切込み溝の幅寸法を中仕切り体の縦仕切り板及び横仕切り板の厚みよりも小さくし、緩衝シート外周部の隣り合う分割片で縦仕切り板及び横仕切り板を挟圧したことを特徴とする請求項１に記載の梱包箱。
【請求項３】
緩衝シートが段ボールのシートであることを特徴とする請求項１又は請求項２に記載の梱包箱。
【発明の詳細な説明】
【技術分野】
【０００１】
本発明は、井桁状の中仕切りと緩衝シートを重ねて外箱に内蔵した梱包箱の改良に関する。
【背景技術】
【０００２】
図７の（ａ）に示すように、段ボールからなる縦仕切り板１ａと横仕切り板１ｂを井桁状に組み立てた中仕切り体１を外箱２に内蔵して、被包物を収容する多数のポケット３を形成すると共に、中仕切り体１の上に緩衝シート（不図示）を重ねて外箱２に内蔵した従来の梱包箱は、運搬時に振動や衝撃を受けると、仮想線で示すように、縦仕切り板１ａや横仕切り板１ｂの端部が、中仕切り体１外周部のポケット３に収容された被包物Ｐに押されて折れ曲がり、中仕切り体１の外周部のポケット３が崩れるという問題があった。
【０００３】
そのため、図７の（ｂ）に示すように、中仕切り体１の外周端縁に補強用の２枚の縦仕切り板１ｃ，１ｃと２枚の横仕切り板１ｄ，１ｄを更に組み込み、中仕切り体１外周部のポケット３が崩れないようにしている。
【０００４】
一方、第１スリットを有する段ボール製の第１仕切りと、第１スリットに嵌め込まれる第２スリットを有し且つ下部に複数の切欠き部を有する段ボール製の第２仕切りと、第２仕切りの複数の切欠き部に嵌め込まれる筒状の段ボール製の複数の第１突出部を上面に有する段ボール製の底板部と、筒状の段ボール製の複数の第２突出部を上面に有する天板と、を備えた梱包部材が提案されている（特許文献１）。
【０００５】
また、複数の輸送品を収納するための梱包箱の内部を複数の収納空間に仕切る梱包用仕切り構造体において、輸送品の側面を覆うように仕切られ、且つ上方及び下方が開口して輸送品の収納及び取出しが自在となるように設けられた複数の収納空間を形成している仕切り部材と、複数の収納空間を跨ぎ、各収納空間に収納される各輸送品の上面及び／又は下面の一部が当接するように収納空間の上部及び／又は下部に配置され、収納空間内に収納される輸送品の上方向及び／又は下方向への衝撃に対して緩衝性を有する緩衝材とからなる梱包用仕切り構造体も提案されている（特許文献２）。
【０００６】
その他にも、段ボール製の外箱と被包装品を保持する保持部材とを有する包装用箱であって、該保持部材は、等間隔に配置され段ボールシートから形成された複数の仕切り板と、該仕切り板と格子状に配置され段ボールシートから形成された複数の連結板と、該仕切り板及び／又は該連結板に設けられた緩衝材とから成り、該仕切り板及び該連結板により仕切られた複数の収納空間と、該収納空間と外箱内壁との間に形成された緩衝空間を有する包装用箱（特許文献３）や、中仕切りを構成する横仕切り板又は縦仕切り板に切込み及び切開き溝を形成して、中仕切りにより区画された物品収納用の各ポケットに折り込むことができ且つ先端が縦仕切り板又は横仕切り板の側面に係合できる複数の緩衝片を形成し、該緩衝片の側面を各ポケット内の物品に当てがうようにした包装箱（特許文献４）が提案されている。
【特許文献１】特開２００６−０６２６６５号公報
【特許文献２】特開２００３−３１２６４８号公報
【特許文献３】特開平０９−３０１４３４号公報
【特許文献４】実開平０７−０３３８２２号公報
【発明の開示】
【発明が解決しようとする課題】
【０００７】
しかしながら、図  の（ｂ）に示す梱包箱のように、中仕切り体１の外周端縁に補強用の縦仕切り板１ｃ，１ｃと横仕切り板１ｄ，１ｄを組み込むと、中仕切り体１の外周部のポケット３が崩れるのを防止できる反面、これら補強用の仕切り板１ｃ，１ｃ，１ｄ，１ｄと外箱２の内側面との間の空間部分Ｖが、被包品の収容に利用されないデッドスペースになるという問題があった。しかも、補強用の縦仕切り板１ｃ，１ｃ及び横仕切り板１ｄ，１ｄは、もともとポケット３の区画形成には無用のものであるから、材料の無駄使いであり、コストアップの一因となっていた。
【０００８】
これらの問題は、前記特許文献１〜４の梱包技術を応用しても、解決することはできない。
【０００９】
本発明は、上記事情の下になされたものであって、その解決しようとする課題は、中仕切り体に重ねる緩衝シートを工夫することによって、補強用の仕切り板を不要とし、デッドスペースを生じさせることなく、中仕切り体外周部のポケットが崩れないように改良した梱包箱を提供することにある。
【課題を解決するための手段】
【００１０】
上記課題を解決するため、本発明に係る梱包箱は、縦仕切り板と横仕切り板を井桁状に組み立てた中仕切り体を外箱に内蔵して、被包物を収容する多数のポケットを形成すると共に、中仕切り体に緩衝シートを重ねて外箱に内蔵した梱包箱において、上記緩衝シートの縦横の寸法を外箱の内寸法よりも少し大きくし、中仕切り体の縦仕切り板及び横仕切り板に沿って緩衝シートの外周部に切込み溝を形成して、緩衝シートの外周部を複数の分割片に分割し、各分割片を中仕切り体の外周部の各ポケットに折り込んで、その折り込んだ緩衝シート外周部の各分割片の外端を外箱の内側面に当接させ、中仕切り体外周部の各ポケットに折り込んだ緩衝シート外周部の各分割片の水平面に対する角度が１０°〜４０°の範囲内となるように、緩衝シートの縦横の寸法と切込み溝の長さ寸法を設定したことを特徴とするものである。
【００１２】
また、本発明の梱包箱においては、切込み溝の幅寸法を中仕切り体の縦仕切り板及び横仕切り板の厚みよりも小さくし、緩衝シート外周部の隣り合う分割片で縦仕切り板及び横仕切り板を挟圧することが好ましい。緩衝シートとしては、緩衝作用を発揮する折り曲げの容易な種々のシートを使用することができるが、その中でも段ボールのシートが好ましく使用される。
【発明の効果】
【００１３】
本発明の梱包箱のように、緩衝シートの外周部の各分割片が中仕切り体の外周部の各ポケットに折り込まれていると、中仕切り体の縦仕切り板及び横仕切り板の端部が分割片によって両側から支えられるため、被包物によって縦仕切り板及び横仕切り板の端部が押されても、該端部が折れ曲がって中仕切り体外周部のポケットが崩れる心配はなくなる。
【００１４】
このように、本発明の梱包箱は、緩衝シート外周部の各分割片を中仕切り体外周部の各ポケットに折り込むことによって、中仕切り体外周部のポケットが崩れないようにしたため、従来の梱包箱において中仕切り体の外周端縁に組み込まれていた補強用の４枚の仕切り板を省いてコストダウンを図ることが可能となり、しかも、補強用の仕切り板を省くことによってデッドスペースもなくなるので、外箱の内部スペースを無駄なく有効活用することが可能となる。また、緩衝シート外周部の分割片を中仕切り体外周部のポケットに折り込む作業は、従来の補強用の仕切り板を中仕切り体の外周端縁に組み込む作業よりも簡単であるため、作業性も向上することになる。
【００１５】
また、緩衝シートの縦横の寸法を外箱の縦横の内寸法よりも少し大きくし、中仕切り体外周部の各ポケットに折り込んだ緩衝シート外周部の各分割片の外端を外箱の内側面に当接させているので、外箱の内側面によって分割片の浮き上がりが阻止され、ポケットから分割片が抜け出すことがないため、確実に縦仕切り板及び横仕切り板の端部を分割片で両側から支えて、中仕切り体外周部のポケットの崩壊を防止することができる。
【００１６】
更に、中仕切り体外周部の各ポケットに折り込んだ緩衝シート外周部の各分割片の水平面に対する角度が１０°〜４０°の範囲内となるように、緩衝シートの縦横の寸法と切込み溝の長さ寸法が設定されているので、ポケットの上部空間が分割片によって圧迫され難くなり、かつ、分割片のポケットからの抜け出しが確実に阻止されるようになる。
【００１７】
また、切込み溝の幅寸法を中仕切り体の縦仕切り板及び横仕切り板の厚みよりも小さくし、緩衝シート外周部の隣り合う分割片で縦仕切り板及び横仕切り板を挟圧するようにしたものは、縦仕切り板及び横仕切り板の端部が分割片によって両側からガタツキなく強固に支えられ、分割片の外端が上記のように外箱の内側面に当接していない場合でも、分割片が浮き上がり難く、ポケットから抜け出し難いので、中仕切り体外周部のポケットの崩壊を充分防止することができる。
【００１８】
また、緩衝シートとして段ボールのシートを用いたものは、切込み溝の切込み作業や分割片の折り込み作業が簡単であり、しかも、分割片の剛性が適度で、中仕切り体の縦仕切り板及び横仕切り板の端部をしっかり支えて中仕切り体外周部のポケットの崩壊を確実に防止することができ、また、緩衝作用も良好で被包品を衝撃から充分保護できるといった利点がある。
【発明を実施するための最良の形態】
【００１９】
以下、図面を参照して本発明の具体的な実施形態を詳述する。
【００２０】
図１は本発明の一実施形態に係る梱包箱を示す分解斜視図、図２は天面フラップを開いた外箱に中仕切り体を内蔵したところを示す平面図、図３は外箱に内蔵された中仕切り体の上に緩衝シートを重ねたところを示す平面図、図４は外箱に内蔵された中仕切り体外周部の各ポケットに緩衝シート外周部の各分割片を折り込んだ同実施形態の梱包箱を示す平面図、図５は図４のＡ−Ａ線断面図、図６は緩衝シートの他の例を示す部分平面図である。
【００２１】
この実施形態の梱包箱は、図１に示すように、直方体形状の外箱２と、この外箱２に内蔵される井桁状の中仕切り体１と、この中仕切り体１の上に重ねられて外箱２に内蔵される方形の緩衝シート４とで構成されている。尚、図示はしていないが、緩衝シート４は中仕切り体１の下にも重ねることが好ましい。
【００２２】
外箱２は段ボール製の箱体であって、前後左右の側板２ａ，２ｂ，２ｃ，２ｄと、これらの側板から上方へ延設された天面フラップ２ｅ，２ｆ，２ｇ，２ｈと、これらの側板から下方へ延設された底面フラップ２ｉ，２ｊ，２ｋ，２ｍとからなり、これらの天面フラップ、底面フラップをそれぞれ折り畳んで閉じると、外箱２の天板と底板が形成されるようになっている。
【００２３】
この外箱２に内蔵される中仕切り体１は、段ボール製の複数枚（この実施形態では２枚）の縦仕切り板１ａと、同じく段ボール製の複数枚（この実施形態では３枚）の横仕切り板１ｂを、等間隔をあけて井桁状に組み立てたものであって、図２に示すように、外箱２にガタツキなく内蔵され、この中仕切り体１によって、被包物を収容する多数（この実施形態では１２）のポケット３が外箱２の内部に区画、形成されるようになっている。
【００２４】
もう少し詳しく説明すると、縦仕切り板１ａには、その上端から中間部に達する３つの切込み１ｅが等間隔をあけて形成されており、横仕切り板１ｂには、その下端から中間部に達する２つの切込み１ｆが等間隔をあけて形成されており、これら縦仕切り板１ａの切込み１ｅと横仕切り板１ｂの切込み１ｆが互いに上下から嵌め込まれて、井桁状の中仕切り体１が組み立てられている。そして、この中仕切り体１が外箱２にガタツキなく内蔵されるように、縦仕切り板１ａ及び横仕切り板１ｂのそれぞれの長さ寸法が、外箱２の縦横の内寸法と同一もしくは僅かに短く設定されており、且つ、縦仕切り板１ａ及び横仕切り板１ｂの高さ寸法が、外箱２の高さの内寸法から緩衝シート４の厚み寸法を差し引いた寸法に設定されている。
【００２５】
中仕切り体１に重ねる緩衝シート４は段ボール製のシートであって、図３に示すように、この緩衝シート４の縦横の寸法は、外箱２の縦横の内寸法よりも少し大きく設定されている。図１，図３に示すように、この緩衝シート４の外周部には、中仕切り体１の縦仕切り板１ａ及び横仕切り板１ｂに沿って、複数（この実施形態では１０）の切込み溝４ａが形成されており、これらの切込み溝４ａによって、緩衝シート４の外周部が複数（この実施形態では１０）の分割片４ｂに分割されている。そして、それぞれの分割片４ｂは、隣り合う切込み溝４ａ，４ａの奥端（閉塞端）同士を結ぶ折り線Ｌに沿って、図４，図５に示すように、中仕切り体１の外周部のそれぞれのポケット３に斜めに折り込まれており、各分割片４ｂの外端が外箱２の内側面、即ち、前後左右の側板２ａ，２ｂ，２ｃ，２ｄの内面に当接している。
【００２６】
上記のように、緩衝シート４の外周部の各分割片４ｂが中仕切り体１の外周部の各ポケット３に折り込まれると、中仕切り体１の縦仕切り板１ａ及び横仕切り板１ｂの端部が分割片４ｂ，４ｂによって両側から支えられるため、運搬中に被包物が振動や衝撃を受けて縦仕切り板１ａ及び横仕切り板１ｂの端部を押したとしても、これら仕切り板１ａ，１ｂの端部が折れ曲がって中仕切り体１の外周部のポケット３が崩れる心配はなくなる。そして、中仕切り体１外周部の各ポケット３に折り込まれた各分割片４ｂの外端が外箱２の内側面に当接していると、分割片４ｂの浮き上がりが外箱２の内側面で阻止され、各ポケット３から分割片４ｂが抜け出すことがないため、縦仕切り板１ａ及び横仕切り板１ｂの端部を分割片４ｂ，４ｂで両側から支え続けて、中仕切り体１外周部のポケット３の崩壊を確実に防止することができる。
【００２７】
中仕切り体１の外周部の各ポケット３に折り込まれた緩衝シート４の各分割片４ａの水平面に対する角度θは１０°〜４０°の範囲内であることが好ましく、従って、分割片４ｂの角度θが上記の範囲内となるように、緩衝シート４の縦横の寸法と切込み溝４ａの長さ寸法を設定することが好ましい。分割片４ｂの角度θが１０°より小さい場合は、分割片４ｂがポケット３からの抜け出す恐れがあり、逆に、４０°より大きくなると、ポケット３の上部空間が分割片４ｂによって圧迫される恐れが出てくるからである。
【００２８】
また、切込み溝４ａの幅寸法を中仕切り体１の縦仕切り板１ａ及び横仕切り板１ｂの厚みよりも小さく設定し、緩衝シート４の外周部の隣り合う分割片４ｂ，４ｂで縦仕切り板１ａ及び横仕切り板１ｂの端部を両側から挟圧することが好ましい。このようにすると、縦仕切り板１ａ及び横仕切り板１ｂの端部が分割片４ｂ，４ｂによって両側からガタツキなく強固に支えられ、これらの仕切り板１ａ，１ｂの端部と分割片４ｂとが圧接するため、分割片４ｂの外端が外箱２の内側面に当接していない場合でも、分割片４ｂが浮き上がり難く、ポケット３から抜け出し難いので、中仕切り体１外周部のポケット３の崩壊を充分防止することができる。
【００２９】
緩衝シート４としては、上記の段ボールのシートの他に、緩衝作用を発揮する折り曲げの容易な種々のシートを使用できるが、特に、上記段ボール製の緩衝シート４は、切込み溝４ａの切込み作業や分割片４ｂの折り込み作業を簡単に行うことができ、しかも、分割片４ｂの剛性が適度で、中仕切り体１の縦仕切り板１ａ及び横仕切り板１ｂの端部をしっかり支えて中仕切り体１外周部のポケット３の崩壊を確実に防止することができ、また、緩衝作用も良好で被包品を衝撃から充分保護できるといった利点があるので、安価であることと相俟って好ましく使用される。
【００３０】
また、緩衝シートとして、図６に示すように、コーナー部分を方形に切除して、分割片４ｂよりも幅の狭い二つの小さな分割片４０ｂ，４０ｂを形成した緩衝シート４０を使用してもよい。
【００３１】
以上のように、本発明の梱包箱は、緩衝シート４の外周部の分割片４ｂを中仕切り体１の外周部のポケット３に折り込むことによって、中仕切り体１外周部のポケット３の崩壊を防止したため、従来の梱包箱において中仕切り体１の外周端縁に組み込まれていた補強用の４枚の仕切り板１ｃ，１ｃ，１ｄ，１ｄを省いてコストダウンを図ることが可能となり、しかも、補強用の仕切り板を省くことによってデッドスペースＶもなくなるので、外箱２の内部スペースを無駄なく有効活用することが可能となる。また、緩衝シート４外周部の分割片４ｂを中仕切り体１外周部のポケット３に折り込む作業は、従来の補強用の仕切り板１ｃ，１ｄを中仕切り体１の外周端縁に組み込む作業よりも簡単であるため、作業性を向上させることも可能となる。
【図面の簡単な説明】
【００３２】
【図１】本発明の一実施形態に係る梱包箱を示す分解斜視図である。
【図２】天面フラップを開いた外箱に中仕切り体を内蔵したところを示す平面図である。
【図３】外箱に内蔵された中仕切り体の上に緩衝シートを重ねたところを示す平面図である。
【図４】外箱に内蔵された中仕切り体外周部の各ポケットに緩衝シート外周部の各分割片を折り込んだ同実施形態の梱包箱を示す平面図である。
【図５】図４のＡ−Ａ線断面図である。
【図６】緩衝シートの他の例を示す部分平面図である。
【図７】（ａ）は天面フラップを開いた外箱に中仕切り体が内蔵された従来の梱包箱を示す平面図、（ｂ）は天面フラップを開いた外箱に、補強用の仕切り板を外周端縁に組み込んだ中仕切り体が内蔵された従来の梱包箱を示す平面図である。
【符号の説明】
【００３３】
１    中仕切り体
１ａ  縦仕切り板
１ｂ  横仕切り板
２    外箱
３    ポケット
４    緩衝シート
４ａ  切込み溝
４ｂ  分割片
θ    分割片の水平面に対する角度
Ｐ    被包物
【図１】
0004636065.tif 000002
【図２】
0004636065.tif 000003
【図３】
0004636065.tif 000004
【図４】
0004636065.tif 000005
【図５】
0004636065.tif 000006
【図６】
0004636065.tif 000007
【図７】
0004636065.tif 000008